(57)【特許請求の範囲】
【請求項１】
ガラリ本体の正面壁部に多数の通気用開口部を形成してあり、前記ガラリ本体の胴部が装着対象物の取付用開口部に嵌合されたとき、前記正面壁部の周縁部が前記取付用開口部の縁辺部に突き当てられるものであり、
前記ガラリ本体の前記胴部外面に前記正面壁部の周縁部との間で前記取付用開口部の縁辺部を挟みこむ係止突起を突設し、前記係止突起と反対側位置において前記ガラリ本体の背面部に係止脚を突設してあり、前記係止脚の外面にガラリ本体の前記正面壁部の周縁部との間で前記取付用開口部の別の縁辺部を挟む込む留止突起を形成するとともに、前記係止脚に操作具挿入孔を形成してあり、
前記正面壁部の周縁部と前記係止突起の間に挟み込まれた取付用開口部の前記縁辺部を中心に回動させて、前記ガラリ本体を前記取付用開口部に嵌合させるとき、前記係止脚を内側に弾性変形させる傾斜カム面を前記留止突起の外側面に形成してあり、前記操作具挿入孔に挿入した操作具によって前記係止脚を内側に弾性変形させて、前記留止突起と取付用開口部の前記別の縁辺部との弾性係合を解除するようにした換気ガラリにおいて、
前記操作具挿入孔を前記係止脚の長さ方向に貫通して形成したことを特徴とする換気ガラリ。
【発明の詳細な説明】
【技術分野】
【０００１】
本発明は、屋外設置の機器収納用筐体等において、筐体の側面壁や扉といった装着対象物に形成した取付用開口部に嵌合して装着され、ガラリ本体の正面壁部に形成した多数の通気用開口部を通して筐体内の空気を換気するようにした換気ガラリに関する。
【背景技術】
【０００２】
従来の換気ガラリではガラリ本体を装着対象物に装着するには、装着対象物に形成した取付用開口部にガラリ本体の胴部を正面側から嵌合し、前記取付用開口部の縁辺部に突き当てガラリ本体の正面壁部の周縁部の前後方向の貫通孔から締付け固着用ビスを当該縁辺部に捻じ込んでいる（特許文献１参照）。
【０００３】
しかしながら、このような装着構造では、ガラリ本体の正面壁部の周縁部にビス挿入用の貫通孔を穿設加工しなければならないので、その分だけ加工コストが増大し、また、ガラリ体の着脱作業に当たっては、ガラリ本体を装着対象物に押し当てた状態を保持して、締付け固着用ビスをドライバーで何回も回さなければならないため、作業能率が悪かった。
【０００４】
装着対象物が木製である場合には木ネジ式のビスが使用でき、前記取付用開口部の縁辺部に対する孔明け加工は不要であるが、装着対象物が金属製であって木ネジ式のビスが使用できない場合には、前記取付用開口部の縁辺部にも貫通孔を穿設加工し、ガラリ本体の正面壁部の周縁部の前記貫通孔と装着対象物の前記貫通孔を通して締付け固着用ボルトを正面側から挿入し、該ボルトに背面側からナットを螺合しなければならない。そのため、孔明け加工のコスト負担が更に増大し、ガラリ本体の着脱作業が煩雑なものとなった。
【０００５】
【特許文献１】特開２００４−１４４４０６号公報
【発明の開示】
【発明が解決しようとする課題】
【０００６】
本発明の課題は、ガラリ本体の正面壁部の周縁部及び装着対象物の取付用開口部の縁辺部に対する締付け固着用の孔明け加工が一切不要であり、ガラリ本体の装着対象物に対する装着が前記縁辺部との弾性係合によって簡便かつ的確になされる換気ガラリを提供することである。
【課題を解決するための手段】
【０００７】
本発明の換気ガラリでは、ガラリ本体の正面壁部に多数の通気用開口部を形成し、ガラリ本体の胴部が装着対象物の取付用開口部に嵌合されたとき、前記正面壁部の周縁部が前記取付用開口部の縁辺部に突き当てられる。
ガラリ本体の前記胴部外面には、前記正面壁部の周縁部との間で前記取付用開口部の縁辺部を挟みこむ係止突起が突設されており、前記係止突起と反対側位置においてガラリ本体の背面部には係止脚が突設されている。前記係止脚の外面には、ガラリ本体の前記正面壁部の周縁部との間で前記取付用開口部の別の縁辺部を挟む込む留止突起が突設されており、前記係止脚の端面には操作具挿入孔が前記係止脚の長さ方向に貫通して形成されている。
【０００８】
前記正面壁部の周縁部と前記係止突起の間に挟み込まれた取付用開口部の前記縁辺部を中心にして前記ガラリ本体を回動させ、前記ガラリ本体を前記取付用開口部に嵌合させるとき、前記係止脚を内側に弾性変形させる傾斜カム面が前記留止突起の外側面に形成されている。
前記操作具挿入孔に挿入した操作具によって前記係止脚を内側に弾性変形させることによって、前記留止突起と取付用開口部の前記別の縁辺部との弾性係合が解除され、ガラリ本体が前記取付用開口部から斜めに回動して抜取られる。
【０００９】
本発明の換気ガラリでは、装着対象物に対するガラリ本体の装着は、前記正面壁部の周縁部と前記係止突起の間に挟み込んだ取付用開口部の前記縁辺部を中心に前記ガラリ本体を回動させ、当該縁辺部と対向する別の縁辺部に前記留止突起の前記傾斜カム面を摺接させて、ガラリ本体の前記胴部を前記取付用開口部に押し込むとき、前記係止脚が内側に弾性変形することによって、前記係止突起が前記取付用開口部を通過し、この通過直後に前記係止脚が外側に弾性復元して前記留止突起が当該別の縁辺部に弾性係合することによって完了する。前記取付用開口部の前記別の縁辺部と前記留止突起との係合は、前記係止脚の弾性復元によって自動的に成立する。
【発明の効果】
【００１０】
本発明の換気ガラリでは、ガラリ本体の取外しに当たっては、前記係止脚の前記操作具挿入孔に操作具を挿入し、該操作具によって前記係止脚を内側に弾性変形させることによって、前記留止突起と取付用開口部の前記別の縁辺部との係合を解除し、その後、前記正面壁部の周縁部と前記係止突起の間に挟み込んだ取付用開口部の前記縁辺部を中心にガラリ本体を斜めに回動して前記胴部を取付用開口部から抜取るのである、前記操作具挿入孔は前記係止脚の長さ方向に貫通して設けられているため、針金やピンあるいは細い金属棒といった操作具による前記係止脚の内側への強制的な弾性変形の操作は、換気ガラリの正面側からも背面側からも行なえ、ガラリ本体の取外し作業がワンタッチで簡便かつ的確に行なわれる。
【実施例】
【００１１】
図示の実施例においては、ガラリ本体１の正面壁部２は矩形状であり、左右横方向に長いに溝孔状の通気用開口部３が多数並列に形成され、各通気用開口部３の間には上方からの雨水の入り込みを防止する庇部４が形成されている。ガラリ本体１の胴部５は正面壁部２よりも一回り小さい矩形状断面に形成され、係止突起６は胴部５の上側辺部５ａの外面に突設されている。
制御盤格納用筐体の側面壁よりなる装着対象物７に設けられる取付用開口部８は、ガラリ本体１の胴部５に符合する形状及び大きさに形成されている。
【００１２】
ガラリ本体１の係止脚９は正面壁部２の下辺側の周縁部２ｂの中間部背面に前後方向に突設されている。胴部５の下側辺部５ｂの中間部分には、係止脚の弾性変形を容易にするため、切欠部５ｅが形成されている。留止突起１２は係止脚９の外側面に逆止め機能を有するように形成されている。留止突起１２の傾斜カム面１３は、ガラリ本体１の胴部５を装着対象物７の取付用開口部８に嵌合するとき、取付用開口部８の下側の縁辺部８ｂの内面に摺接し、係止脚９を内側に弾性変形させる。
【００１３】
ガラリ本体１が装着対象物７に装着された最終状態では、取付用開口部８の上側の縁辺部８ａがガラリ本体１の正面壁部２の上辺側の周縁部２ａと係止突起６の間に挟持され、取付用開口部８の下側の縁辺部８ｂがガラリ本体１の正面壁部２の下辺側の周縁部２ｂと留止突起１２の間に挟持され、ガラリ本体１の正面壁部２の上辺側の周縁部２ａが取付用開口部８の上側の縁辺部８ａに密に突き当てられ、正面壁部２の下辺側の周縁部２ｂが取付用開口部８の下側の縁辺部８ｂに密に突き当てられている。
【００１４】
本実施例では、ガラリ本体１の胴部５の内側空間にはフィルタ部材１４が収容され、ホルダ体１５によって脱落を阻止されている。ガラリ本体１の胴部５の左側辺部５ｃと右側辺部５ｄには、連結受孔１６が左右方向に貫通して設けられており、ホルダ体１５の左右側辺部の連結突起１７を前記連結受孔１６に弾性係合させることによって、ホルダ体１５がガラリ本体１に連結されている。フィルタ部材１４の点検や交換時には、上記のようにガラリ本体１の着脱が簡単になされるから、本発明の換気ガラリの有する実用上の利便性は高い。なお、装着対象物は機器格納用筐体には限定されない。
【図面の簡単な説明】
【００１５】
【図１】本発明の一実施例に係る換気ガラリに使用したガラリ本体の正面図である。
【図２】図１のガラリ本体の平面図である。
【図３】図１のガラリ本体の底面図である。
【図４】図１のガラリ本体の右側面図である。
【図５】図１のガラリ本体の左側面図である。
【図６】図１のＡ−Ａ線断面図である。
【図７】図１のＢ−Ｂ線断面図である。
【図８】図１のガラリ本体の胴部内にホルダ体を連結した状態の背面図である。
【図９】図８に示したホルダ体の正面図である。
【図１０】図８に示したホルダ体の右側面図である。
【図１１】図１のガラリ本体にフィルタ部材とホルダ体を組み込んだ換気ガラリの完成状態の図６に対応した断面図である。
【符号の説明】
【００１６】
１    ガラリ本体
２    ガラリ本体の正面壁部
２ａ  正面壁部の上辺側の周縁部
２ｂ  正面壁部の下辺側の周縁部
３    通気用開口部
４    庇部
５    ガラリ本体の胴部
５ａ  胴部の上側辺部
５ｂ  胴部の下側辺部
５ｃ  胴部の左側辺部
５ｄ  胴部の右側辺部
５ｅ  胴部の切欠部
６    係止突起
７    装着対象物
８    取付用開口部
８ａ  取付用開口部８の上側の縁辺部
８ｂ  取付用開口部８の下側の縁辺部
９    係止脚
１０  操作具挿入孔
１１  操作具
１２  留止突起
１３  留止突起の傾斜カム面
１４  フィルタ部材
１５  ホルダ体
１６  連結受孔
１７  連結突起
【図１】
0003938383.tif 000002
【図２】
0003938383.tif 000003
【図３】
0003938383.tif 000004
【図４】
0003938383.tif 000005
【図５】
0003938383.tif 000006
【図６】
0003938383.tif 000007
【図７】
0003938383.tif 000008
【図８】
0003938383.tif 000009
【図９】
0003938383.tif 000010
【図１０】
0003938383.tif 000011
【図１１】
0003938383.tif 000012